(57)【特許請求の範囲】
【請求項１】
地理的カバレッジ・エリア（１００）においてユーザに少なくとも１つの通信機能を含む無線リソースを提供する送受信局（２０）であって、前記地理的カバレッジ・エリアは複数のセル（ＣＥＬＬ１〜ＣＥＬＬ９）を含み、前記複数のセルのそれぞれは少なくとも１つのキャリア（Ｃ１〜Ｃ３）および前記地理的カバレッジ・エリアの少なくとも１つのセクタ（Ｓ１〜Ｓ３）の異なる組み合わせと関連づけられ、
前記送受信局は、
前記複数のセルの中の第１のサブセットのセルにおいてユーザ（ＵＳＥＲ１）に前記少なくとも１つの通信機能を提供することと関連づけられた機能を実行するように構成された第１のＬ１処理回路（２０２０−１、２０２０−２、２０２０−３）を含む第１のボード（２０２−１、２０２−２、２０２−３）、および、
前記第１のボードと通信的に結合され、前記複数のセルの中の第２のサブセットのセルにおいて前記ユーザに前記少なくとも１つの通信機能を提供することと関連づけられた機能を実行するように構成された第２のＬ１処理回路（２０２０−１、２０２０−２、２０２０−３）を含む第２のボード（２０２−１、２０２−２、２０２−３）を含み、前記第１のサブセットのセルは前記第２のサブセットのセルとは異なり、
前記複数のセルの中の前記第１のサブセットのセルにおいてユーザに対して少なくとも１つの通信機能を提供することに関連する機能は、
アップリンク制御チャネル情報、および、前記第１のサブセットのセルにおけるアップリンク上で前記ユーザによって送信された第１のデータビット・シーケンスを得るステップと、
前記得られたアップリンク制御チャネル情報と前記第１のデータビット・シーケンスとを、さらなる処理および送信のために中央局に出力するステップを含む、
送受信局（２０）。
【請求項２】
前記第１のサブセットのセルのそれぞれのセルは、前記第２のサブセットのセルのそれぞれのセルと異なる、請求項１に記載の送受信局。
【請求項３】
前記第１のＬ１処理回路は、さらに、前記第１のサブセットのセルにおける少なくとも第１のキャリアで受信された無線周波数信号ストリームに基づく制御情報を得て、前記得られた制御情報を前記第２のＬ１処理回路に出力するように構成され、
前記第２のＬ１処理回路は、さらに、前記第１のＬ１処理回路からの制御情報に基づいて、前記第２のサブセットのセルにおける前記ユーザに前記少なくとも１つの通信機能を提供することと関連づけられた機能を実行するように構成される、
請求項１に記載の送受信局。
【請求項４】
前記第１のＬ１処理回路は、さらに、Ｌ１インターフェース・メッセージによって、前記得られた制御情報を前記第２のＬ１処理回路に出力するように構成される、請求項３に記載の送受信局。
【請求項５】
前記複数のセルの中の第１のサブセットのセルにおいて前記ユーザに前記少なくとも１つの通信機能を提供することと関連づけられた前記機能は、
前記第１のサブセットのセルにおける前記ユーザによるアップリンク送信に関するアップリンク制御チャネル情報を得るように、受信されたアップリンク制御チャネルを処理するステップ、
前記得られたアップリンク制御チャネル情報に基づいて、前記第１のサブセットのセルにおける前記ユーザによって送信された第１のデータビット・シーケンスを復元するように、受信された第１のアップリンク・データ・チャネルを処理するステップ
を含む、
請求項１に記載の送受信局。
【請求項６】
前記第１のＬ１処理回路は、さらに、前記得られたアップリンク制御チャネル情報を前記第２のＬ１処理回路に出力するように構成され、
前記複数のセルの中の第２のサブセットのセルにおいて前記ユーザに前記少なくとも１つの通信機能を提供することと関連づけられた前記機能は、
前記第１のＬ１処理回路からのアップリンク制御チャネル情報に基づいて、前記第２のサブセットのセルにおいて前記ユーザによって送信された第２のデータビット・シーケンスを復元するように、受信された第２のアップリンク・データ・チャネルを処理するステップ、および、
前記復元された第２のデータビット・シーケンスを、さらなる処理および送信のために中央局に出力するステップを含む、
請求項５に記載の送受信局。
【請求項７】
前記複数のセルの中の第１のサブセットのセルにおいて前記ユーザに前記少なくとも１つの通信機能を提供することと関連づけられた前記機能は、
前記第１のサブセットのセルにおける少なくとも第１のキャリアのユーザへの送信のために無線周波数信号ストリームを生成するように、受信されたダウンリンク・データビット・シーケンスを符号化するステップ、および、
前記ユーザへの送信のために前記生成された無線周波数信号ストリームを出力するステップをさらに含む、
請求項１に記載の送受信局。
【請求項８】
地理的カバレッジ・エリア（１００）においてユーザに少なくとも１つの通信機能を含む無線リソースを提供する方法であって、前記地理的カバレッジ・エリアは複数のセル（ＣＥＬＬ１〜ＣＥＬＬ９）を含み、前記複数のセルのそれぞれは少なくとも１つのキャリア（Ｃ１、Ｃ２、Ｃ３）および前記地理的カバレッジ・エリアの少なくとも１つのセクタ（Ｓ１、Ｓ２、Ｓ３）の異なる組み合わせと関連づけられ、
前記方法は、
第１のボードが、前記複数のセルの中の第１のサブセットのセルにおいてユーザに前記少なくとも１つの通信機能を提供することと関連づけられた機能を実行する第１のステップ（Ｓ５０２〜Ｓ５１０）であって、前記第１のステップは、
アップリンク制御チャネル情報、および、前記第１のサブセットのセルにおけるアップリンク上で前記ユーザによって送信された第１のデータビット・シーケンスを得るステップと、
前記得られたアップリンク制御チャネル情報と前記第１のデータビット・シーケンスとを、さらなる処理および送信のために中央局に出力するステップとを含み、および、
第２のボードが、前記複数のセルの中の第２のサブセットのセルにおいて前記ユーザに前記少なくとも１つの通信機能を提供することと関連づけられた機能を実行する第２のステップを含み、前記第２のサブセットのセルは前記第１のサブセットのセルとは異なる（Ｓ６０２〜Ｓ６０６）、
無線リソースを提供する方法。
【請求項９】
前記実行する第１のステップは、前記複数のセルの中の前記第１のサブセットのセルのみにおいて前記ユーザに前記少なくとも１つの通信機能を提供することと関連づけられた機能を実行し、
前記実行する第２のステップは、前記複数のセルの中の前記第２のサブセットのセルのみにおいて前記ユーザに前記少なくとも１つの通信機能を提供することと関連づけられた機能を実行する、
請求項８に記載の方法。
【発明の詳細な説明】
【背景技術】
【０００１】
第３世代、第４世代および第５世代標準などの無線技術標準は、現実のハードウェア開発および展開よりもはるかに速く、新しい技術に適応し、新しい機能を追加し、データ速度を増大させる。その結果として、ＮｏｄｅＢ（または基地局）プラットフォーム（例えばモデムボードなどのハードウェアボード）の能力は急速に満たされる。このことはプラットフォームのライフサイクルを減少させ、そして新しいプラットフォームのより頻繁な開発を要求する。しかしながら、新しいプラットフォームの開発はコストが増加するだけでなく、製品が納入される時間を遅延させることもある。
【０００２】
第５世代無線システムは無線通信産業における次の進化である。そのようなシステムはＷｉＦｉのみならず、第２、第３、第４、第５世代の構成要素を統合し、グローバルなネットワークシステムを形成しうる。第５世代システムは、今日のデータ速度よりも１０〜１００倍上回って速いデータ速度を有し、物のインターネットのサービスを行う幅広い範囲の装置に接続しうる。第５世代システムはまた、従来の第２、第３、第４世代技術に対して新しい技術を実装し、新しい特徴を追加する。
【０００３】
従来、ＮｏｄｅＢにおけるＬ１／Ｌ２処理ボード（時々はモデムボードとも呼ばれる）が、単一ボード・アーキテクチャ（ＳＢＡ：Ｓｉｎｇｌｅ  Ｂｏａｒｄ  Ａｒｃｈｉｔｅｃｔｕｒｅ）を利用する。この従来のアーキテクチャにおいて、各ボードはすべての無線周波数（ＲＦ）アンテナに接続され、ＮｏｄｅＢのカバレッジ・エリア内のすべてのセルに関してＬ２スケジューリングおよびＬ１処理の両者を実行する。結果として、すべての標準機能が各ボードに実装される。この「すべてのために１つのボード」という解決方法は、ボードのライフサイクルを短くし、追加機能（例えば新しい第５世代機能）が既存のボードに追加される可能性を制限する。
【発明の概要】
【発明が解決しようとする課題】
【０００４】
少なくともいくつかの実施形態例が、基地局におけるＬ１処理ボードのためのマルチボード・アーキテクチャ（ＭＢＡ）を提供する。少なくともいくつかの実施形態例によれば、ＮｏｄｅＢにおける複数のＬ１処理ボードが共に１のシステムとしてみられ、それによって、ＮｏｄｅＢにおける複数のＬ１処理ボードの間の、無線周波数（ＲＦ）アンテナ・ストリーム、通信機能、および／または通信機能の組の動的な分配を可能にする。本明細書で述べられるように、ＮｏｄｅＢは送受信局とみなされてもよい。
【０００５】
また、少なくともいくつかの実施形態例は、ＮｏｄｅＢにおける処理ボードの間の、通信機能の負荷釣り合わせの方法を提供する。
【０００６】
少なくともいくつかの実施形態例によれば、ＮｏｄｅＢにおける複数のＬ１処理ボードが共に１のシステムとしてみられ、それによって、ＮｏｄｅＢにおける処理ボードの間の通信機能の動的な負荷釣り合わせを可能にする。
【０００７】
少なくともいくつかの実施形態例によれば、異なるＬ１ボードが異なるＲＦアンテナの組に接続され、単一の通信機能が複数の構成要素（またはタスク）に分割され、複数のＬ１ボードの間で分配されてもよい。異なるボードは、１つまたは複数の通信機能の異なるタスクを処理する、異なるソフトウェアおよび／またはハードウェア構成要素を有してもよい。
【０００８】
無線システムは通信機能の組を１つまたは複数含む。各通信機能は特定の状況における特定の目的のために設計される。通信機能の例は、ユーザが単一の周波数帯（またはキャリア）のみを用いる単一キャリア・アップリンク／ダウンリンク機能、より高い通信データ速度に達するようにユーザが複数の周波数帯（またはキャリア）を組み合わせるマルチキャリア・アップリンク／ダウンリンク機能、干渉除去、ある地理的セクタから別の地理的セクタに移動するユーザのためのコール・ハンドオーバ、ボイス・オーバー（ｖｏｉｃｅ  ｏｖｅｒ）・第３世代パートナーシップ・プロジェクト・ロング・ターム・エボリューション（３ＧＰＰ−ＬＴＥ）、データが送信される必要がない場合にいくつかの送信を止めるユーザ・パワー節約モード、多重入出力（ＭＩＭＯ）、単一入出力（ＳＩＳＯ）などである。
【０００９】
１つまたは複数の実施形態例によるマルチボード・アーキテクチャは、従来の単一ボード・アーキテクチャにおいて存在する重複した機能を減少させることにより、ＮｏｄｅＢにおける不要なリソースの消費を減少させることができる。一例では、Ｌ１処理ボードは従来の単一ボード・アーキテクチャと比較して、アンテナ・ストリームの一部分または一部のみを処理するにすぎない。
【課題を解決するための手段】
【００１０】
少なくとも１つの実施形態例は、地理的カバレッジ・エリアにおいてユーザに少なくとも１つの通信機能を含む無線リソースを提供する送受信局を提供し、地理的カバレッジ・エリアは複数のセルを含み、複数のセルのそれぞれは少なくとも１つのキャリアおよび地理的カバレッジ・エリアの少なくとも１つのセクタの異なる組み合わせと関連づけられ、送受信局は、複数のセルの中の第１のサブセットのセルにおいてユーザに少なくとも１つの通信機能を提供することと関連づけられた機能を実行するように構成された第１のＬ１処理回路を含む第１のボード、および、第１のボードと通信的に結合され、複数のセルの中の第２のサブセットのセルにおいてユーザに少なくとも１つの通信機能を提供することと関連づけられた機能を実行するように構成された第２のＬ１処理回路を含む第２のボードを含み、第１のサブセットのセルは第２のサブセットのセルとは異なる。
【００１１】
さらに、第１のＬ１処理回路は、複数のセルの中の第１のサブセットのセルのみにおいて、ユーザに少なくとも１つの通信機能を提供することと関連づけられた機能を実行するように構成されてもよい。
【００１２】
さらに、第２のＬ１処理回路は、複数のセルの中の第２のサブセットのセルのみにおいて、ユーザに少なくとも１つの通信機能を提供することと関連づけられた機能を実行するように構成されてもよい。
【００１３】
第１のサブセットのセルは、複数のセルのすべてよりも少ない数を含んでもよく、第２のサブセットのセルは、複数のセルのすべてよりも少ない数を含んでもよい。
【００１４】
第１のサブセットのセルのそれぞれのセルは、第２のサブセットのセルのそれぞれのセルと異なってもよい。
【００１５】
さらに、第１のＬ１処理回路は、第１のサブセットのセルにおける少なくとも第１のキャリアで受信された無線周波数信号ストリームに基づく制御情報を得て、得られた制御情報を第２のＬ１処理回路に出力するように構成されてもよい。さらに、第２のＬ１処理回路は、第１のＬ１処理回路からの制御情報に基づいて、第２のサブセットのセルにおけるユーザに少なくとも１つの通信機能を提供することと関連づけられた機能を実行するように構成されてもよい。
【００１６】
さらに、第１のＬ１処理回路は、Ｌ１インターフェース・メッセージによって、得られた制御情報を第２のＬ１処理回路に出力するように構成されてもよい。
【００１７】
複数のセルの中の第１のサブセットのセルにおいてユーザに少なくとも１つの通信機能を提供することと関連づけられた機能は、第１のサブセットのセルにおけるユーザによるアップリンク送信に関するアップリンク制御チャネル情報を得るように、受信されたアップリンク制御チャネルを処理するステップ、得られたアップリンク制御チャネル情報に基づいて、第１のサブセットのセルにおける第１のユーザによって送信された第１のデータビット・シーケンスを復元するように、受信された第１のアップリンク・データ・チャネルを処理するステップ、および、得られたアップリンク制御チャネル情報と復元された第１のデータビット・シーケンスとを、さらなる処理および送信のために中央局に出力するステップを含んでもよい。
【００１８】
さらに、第１のＬ１処理回路は、得られたアップリンク制御チャネル情報を第２のＬ１処理ボードに出力するように構成されてよい。複数のセルの中の第２のサブセットのセルにおいてユーザに少なくとも１つの通信機能を提供することと関連づけられた機能は、第１のＬ１処理ボードからのアップリンク制御チャネル情報に基づいて、第２のサブセットのセルにおいてユーザによって送信された第２のデータビット・シーケンスを復元するように、受信された第２のアップリンク・データ・チャネルを処理するステップ、および、復元された第２のデータビット・シーケンスを、さらなる処理および送信のために中央局に出力するステップを含んでもよい。
【００１９】
複数のセルの中の第１のサブセットのセルにおいてユーザに少なくとも１つの通信機能を提供することと関連づけられた機能は、第１のサブセットのセルにおける少なくとも第１のキャリアのユーザへの送信のために無線周波数信号ストリームを生成するように、受信されたダウンリンク・データの組を符号化するステップ、および、ユーザへの送信のために生成された無線周波数信号ストリームを出力するステップを含んでもよい。
【００２０】
少なくとも１つの他の実施形態例は、地理的カバレッジ・エリアにおいてユーザに少なくとも１つの通信機能を含む無線リソースを提供する方法を提供し、地理的カバレッジ・エリアは複数のセルを含み、複数のセルのそれぞれは少なくとも１つのキャリアおよび地理的カバレッジ・エリアの少なくとも１つのセクタの異なる組み合わせと関連づけられ、方法は、複数のセルの中の第１のサブセットのセルにおいてユーザに少なくとも１つの通信機能を提供することと関連づけられた機能を実行する第１のステップ、および、複数のセルの中の第２のサブセットのセルにおいてユーザに少なくとも１つの通信機能を提供することと関連づけられた機能を実行する第２のステップを含み、第２のサブセットのセルは第１のサブセットのセルとは異なる。
【００２１】
実行する第１のステップは、複数のセルの中の第１のサブセットのセルのみにおいてユーザに少なくとも１つの通信機能を提供することと関連づけられた機能を実行してもよい。実行する第２のステップは、複数のセルの中の第２のサブセットのセルのみにおいてユーザに少なくとも１つの通信機能を提供することと関連づけられた機能を実行してもよい。
【００２２】
実行する第１のステップは、第１のサブセットのセルにおけるユーザによるアップリンク送信に関するアップリンク制御チャネル情報を得るように、受信されたアップリンク制御チャネルを処理するステップ、得られたアップリンク制御チャネル情報に基づいて、第１のサブセットのセルにおけるユーザによって送信された第１のデータビット・シーケンスを復元するように、受信された第１のアップリンク・データ・チャネルを処理するステップ、および、得られたアップリンク制御チャネル情報と復元された第１のデータビット・シーケンスとを、さらなる処理および送信のために中央局に出力するステップを含んでもよい。
【００２３】
さらに、方法は、得られたアップリンク制御チャネル情報を第１のＬ１処理ボードから第２のＬ１処理ボードに出力するステップを含んでもよい。さらに、実行する第２のステップは、第１のＬ１処理ボードからのアップリンク制御チャネル情報に基づく第２のＬ１処理ボードにおいて、第２のサブセットのセルにおいてユーザによって送信された第２のデータビット・シーケンスを復元するように、受信された第２のアップリンク・データ・チャネルを処理するステップ、および、復元された第２のデータビット・シーケンスを、さらなる処理および送信のために中央局に出力するステップを含んでもよい。
【００２４】
実行する第１のステップは、第１のサブセットのセルにおける少なくとも第１のキャリアでのユーザへの送信のために無線周波数信号ストリームを生成するように、受信されたダウンリンク・データの組を符号化するステップ、および、ユーザへの送信のために生成された無線周波数信号ストリームを出力するステップを含んでもよい。
【００２５】
さらに、方法は、少なくとも１つの第１のキャリアでユーザに生成された無線周波数信号ストリームを送信するステップを含んでもよい。
【００２６】
少なくとも１つの他の実施形態例は、地理的カバレッジ・エリアにおいてユーザに少なくとも１つの通信機能を含む無線リソースを提供する送受信局における負荷釣り合わせの方法を提供し、地理的カバレッジ・エリアは複数のセルを含み、複数のセルのそれぞれは少なくとも１つのキャリアおよび地理的カバレッジ・エリアの少なくとも１つのセクタの異なる組み合わせと関連づけられ、方法は、送受信局における第１のＬ１処理ボードの少なくとも１つの通信機能に関する容量過負荷を識別するステップ、および、識別するステップが、第１のＬ１処理ボードの少なくとも１つの機能に関する容量過負荷を識別した場合、少なくとも１のユーザに少なくとも１つの通信機能を提供することに関連づけられた機能を、第１のＬ１処理ボードから第２のＬ１処理ボードへ転送するステップを含む。
【００２７】
少なくとも１つの通信機能は少なくとも１のユーザに関する干渉除去を含んでもよい。
【００２８】
本発明は、本明細書の以下に記載の詳細な説明および添付の図面からより十分に理解されるであろう。そこでは、類似の要素は類似の参照符号によって表され、説明のためにのみ与えられ、したがって本発明を制限するものではない。
【図面の簡単な説明】
【００２９】
【図１】一実施形態例による、マルチボード・アーキテクチャ（ＭＢＡ）を有するＮｏｄｅＢを含む無線通信ネットワークの一部の図である。
【図２】ＮｏｄｅＢにおけるＬ１処理ボードの相互接続構成の例を示す図である。
【図３】ＮｏｄｅＢにおけるＬ１処理ボードの相互接続構成の例を示す図である。
【図４】図１に示されたＮｏｄｅＢにおける通信機能の負荷釣り合わせの方法の一実施形態例を示すブロック図である。
【図５】一実施形態例による、ＭＢＡのアンカーＬ１処理ボードにおけるアップリンク通信を処理する方法を示す流れ図である。
【図６】一実施形態例による、ＭＢＡの第２のＬ１処理ボードにおけるアップリンク通信を処理する方法を示す流れ図である。
【図７】一実施形態例による、ＭＢＡのＬ１処理ボードにおけるダウンリンク通信を処理する方法を示す流れ図である。
【図８】図１に示されたＮｏｄｅＢにおける通信機能の動的な負荷釣り合わせの方法の別の実施形態例を示すブロック図である。
【発明を実施するための形態】
【００３０】
これらの図はある実施形態例において用いられる方法、構造および／または材料の一般的な特徴を説明し、以下に提供される記載された説明を補足することを意図したものであることに留意すべきである。これらの図面は、しかしながら、原寸に比例しておらず、いかなる所与の実施形態の正確な構造または実行の特性を正確に反映したものでもなく、実施形態例によって包含される価値または財産の範囲を定義または限定するものと解釈されるべきでもない。様々な図面における同様の、または同一の参照符号の使用は、同様の、または同一の要素または特徴の存在を示すことを意図したものである。
【００３１】
いくつかの実施形態例が示される添付の図面を参照して、以下様々な実施形態例がより十分に示される。
【００３２】
詳細な説明のための実施形態が本明細書に開示される。しかしながら、本明細書に開示された特定の構造および機能の詳細は、実施形態例を説明する目的の代表であるにすぎない。本発明は、しかしながら、多くの代替の形態において実施されてもよく、本明細書に記載の実施形態のみに限定されるものと解釈されるべきではない。
【００３３】
したがって、実施形態例は様々な変形および代替形態が可能であるが、実施形態は図面における例によって示され、本明細書に詳細に説明される。しかしながら、開示された特定の形態に実施形態例を制限する意図は全くないことを理解されたい。それに反して、実施形態例はこの開示の範囲内に入るすべての変形例、同等例、代替例に及ぶものである。図面の説明を通じて、同様の番号は同様の要素を参照する。
【００３４】
第１の、第２の、などの用語が、様々な要素を説明するように本明細書で用いられてよいが、これらの要素はこれらの用語によって限定されるべきではない。これらの用語は、ある要素を別のものと区別するように用いられているにすぎない。本開示の範囲から外れることなく、例えば、第１の要素が第２の要素と呼ばれることも可能であり、同様に第２の要素が第１の要素と呼ばれることも可能である。本明細書で用いられるように、用語「および／または」は、関連するリストの１つまたは複数の項目からいくつか、およびすべてを組み合わせたものを含む。
【００３５】
要素が別の要素と「接続された」または「結合された」と称される場合、その要素はその別の要素と直接接続または結合されることもあり、間に介在する要素が入ることもある。対照的に、要素が別の要素と「直接接続された」または「直接結合された」と称される場合、間に介在する要素はない。要素の間の関係を説明するように用いられる他の言葉も同様に解釈されるべきである（例えば「間に」と「直接間に」、「近傍に」と「直接近傍に」など）。
【００３６】
本明細書で用いられる専門用語は特定の実施形態を説明する目的のみのものであり、限定を意図するものではない。本明細書で用いられるように、単数形「ａ」「ａｎ」および「ｔｈｅ」は、そうではないことを明示する文脈でない限り、複数形も同様に含むことを意図したものである。さらに、本明細書で用いられるときの用語「備える」「備えている」「含む」および／または「含んでいる」は、述べられた機能、整数、ステップ、動作、要素、および／または構成要素の存在を明確に述べるものであり、１つまたは複数の他の機能、整数、ステップ、動作、要素、構成要素、および／またはそれらの組の存在または追加を除外するものではないことを理解されたい。
【００３７】
いくつかの代替の実装例において、記載された機能／作用は、図面に記載された順番を外れて起こってもよいこともまた理解されたい。例えば、連続して示された２つの図面は、含まれる機能／作用に従って、実際に実質的に順番に実行されてもよく、時には逆順に実行されてもよい。
【００３８】
実施形態例の完全な理解を提供するように、以下の説明において特定の細部が提供される。しかしながら、実施形態例はこれらの特定の細部なしでも実行できることが当業者には理解されるであろう。例えば、不要な細部によって実施形態例を不明瞭にすることがないように、システムがブロック図に示されてもよい。別の例として、よく知られた処理、構造および技法は、実施形態例を不明瞭にすることを避けるように、不要な細部なしで示されてもよい。
【００３９】
以下の説明において、例示の実施例は、特定のタスクを実行するか特定の抽象的なデータ型を実装し、例えば既存の基地局、ＮｏｄｅＢ、ｅＮｏｄｅＢなどの既存のハードウェアを用いて実装可能な、ルーチン、プログラム、オブジェクト、構成要素、データ構造体などを含むプログラム・モジュールまたは機能的処理として実装されてもよい、作用および動作の記号的表現（例えば、流れ図、流れダイヤグラム、データ流れダイヤグラム、構造図、ブロック図などの形式において）を参照して説明される。そのような既存のハードウェアは、１つまたは複数の中央処理装置（ＣＰＵ）、システム・オン・チップ（ＳＯＣ）デバイス、デジタル信号プロセッサ（ＤＳＰ）、特定用途向け集積回路、フィールド・プログラマブル・ゲート・アレイ（ＦＰＧＡ）コンピュータなどを含んでもよい。
【００４０】
流れ図は一連の処理として動作を説明することができるが、動作の多くは、並行して、一斉に、または同時に実行されてもよい。加えて、動作の順番は再配置されてもよい。動作が完了したとき処理は終了してもよいが、処理は図面に含まれない追加のステップを有してもよい。処理は方法、関数、プロシージャ、サブルーチン、サブプログラムなどに対応してよい。プロセスが関数に対応する場合、その終了は呼び出し関数またはメイン関数への関数のリターンに対応してもよい。
【００４１】
本明細書に開示のように、用語「記憶媒体」「コンピュータ読み取り可能記憶媒体」または「非一時的コンピュータ読み取り可能記憶媒体」は、読み出し専用メモリ（ＲＯＭ）、ランダム・アクセス・メモリ（ＲＡＭ）、磁気ＲＡＭ、コア・メモリ、磁気ディスク記憶媒体、光学記憶媒体、フラッシュメモリ装置、および／または他の、情報を記憶するための具体的な機械読み取り可能媒体を含む、データを記憶する１つまたは複数の装置を表してもよい。用語「コンピュータ読み取り可能媒体」は、持ち運び可能な、または固定された記憶装置、光学記憶装置、および、命令および／またはデータを記憶、含有または保持することが可能な様々な他の媒体を含んでもよいが、これらには限られない。
【００４２】
さらに、実施形態例はハードウェア、ソフトウェア、ファームウェア、ミドルウェア、マイクロコード、ハードウェア記述言語、またはそれらの任意の組み合わせによって実装されてもよい。ソフトウェア、ファームウェア、ミドルウェアまたはマイクロコードにおいて実装される場合、必要なタスクを実行するプログラム・コードまたはコード・セグメントは、機械またはコンピュータ読み取り可能記憶媒体などのコンピュータ読み取り可能媒体に記憶されてもよい。ソフトウェアにおいて実装される場合、プロセッサまたは複数のプロセッサは必要なタスクを実行する。
【００４３】
コード・セグメントはプロシージャ、関数、サブプログラム、プログラム、ルーチン、サブルーチン、モジュール、ソフトウェア・パッケージ、クラス、または、命令、データ構造体もしくはプログラム・ステートメントの任意の組み合わせを表してもよい。コード・セグメントは、情報、データ、引数、パラメータまたはメモリ・コンテンツを通すこと、および／または受信することによって、別のコード・セグメントまたはハードウェア回路に結合されてもよい。情報、引数、パラメータ、データなどは、メモリ共有、メッセージ送信、トークン送信、ネットワーク発信などを含む任意の適切な手段によって送信、転送、または発信されてもよい。
【００４４】
本明細書で用いられるように、用語「ＮｏｄｅＢ」は、Ｎｏｄｅ  Ｂ、基地局、送受信局、基地送受信局（ＢＴＳ）などの同義語と考慮されてもよく、以下で時々それらとみなされてもよく、地理的カバレッジ・エリアにおいてユーザと通信し、無線リソースを提供する送受信機を説明する。本明細書で述べられるように、ＮｏｄｅＢは、本明細書で述べられた方法を実行する能力および機能に加えて、従来の、よく知られた基地局とすべて機能的に関連づいていてもよい。
【００４５】
簡略化のために、用語ＮｏｄｅＢは、第３世代広帯域符号分割多元接続（ＷＣＤＭＡ）のためのＮｏｄｅＢ、第４世代ロング・ターム・エボリューション（ＬＴＥ）のためのｅＮｏｄｅＢ、例えば符号分割多元接続（ＣＤＭＡ）、ワールドワイド・インターオペラビリティ・フォー・マイクロウェーブ・アクセス（ＷｉＭａｘ）、第５世代システムなどの他の無線システムのための一般的な基地局、および、これらの無線プロトコルの組み合わせのためのＮｏｄｅＢまたは基地局を表すように用いてもよい。
【００４６】
本明細書で用いられるように、用語「ユーザ」は、ユーザ機器（「ＵＥ」）、クライアント、モバイル・ユニット、モバイル局、モバイル・ユーザ、モバイル、加入者、ユーザ、リモート局、アクセス端末、受信機などの同義語と考慮されてもよく、以下で時々それらとみなされてもよく、無線通信ネットワークにおける無線リソースのリモートなユーザを説明する。
【００４７】
本明細書で述べられるように、アップリンク（またはリバース・リンク）送信はユーザからＮｏｄｅＢ（またはネットワーク）への送信のことをいい、ダウンリンク（またはフォワード・リンク）送信はＮｏｄｅＢ（またはネットワーク）からユーザへの送信のことをいう。
【００４８】
本明細書で述べられるように、キャリアはユーザのための周波数帯域幅のことをいう。広帯域符号分割多元接続（ＷＣＤＭＡ）ネットワークにおいて、キャリアは５ＭＨｚ周波数帯域幅である。第３世代パートナーシップ・プロジェクト・ロング・ターム・エボリューション（３ＧＰＰ  ＬＴＥ）ネットワークにおいて、キャリアは１．４ＭＨｚ、３ＭＨｚ、５ＭＨｚ、１０ＭＨｚ、１５ＭＨｚ、または２０ＭＨｚであってもよい。
【００４９】
本明細書で述べられるように、Ｌ１はレイヤー１、Ｌ２はレイヤー２、Ｌ３はレイヤー３、「ボード」（または「処理ボード」）はＬ１ベースバンド処理ボードのことをいう。
【００５０】
３つのキャリアで３つのセクタに分割され、全部で９つのセルとなった地理的カバレッジ・エリアに関するいくつかの実施形態例が本明細書で述べられる。単一のキャリアで３つのセクタに分割され、全部で３つのセルとなった地理的カバレッジ・エリアに関する他の実施形態例が本明細書で述べられる。しかしながら、任意の数のキャリア、キャリアごとに任意の数のセクタ、任意の数のセル、およびキャリアごとに任意の数のアンテナもまた、実施形態例にあてはまることを理解すべきである。
【００５１】
第５世代システムに関する実施形態例が本明細書で述べられるが、実施形態例は、例えばＣＤＭＡ、ＷｉＭＡＸ、ＬＴＥなどの他の無線技術およびシステムに適用されてもよい。
【００５２】
実施形態例はＮｏｄｅＢにマルチボード・アーキテクチャを提供し、１もしくは複数のユーザに関する通信機能および／または通信機能のタスク（ユーザ機能またはユーザ通信機能ともみなされる）は、ＮｏｄｅＢにおいて異なるＬ１処理ボードの間で分配されてもよい。
【００５３】
上記で述べたように、通信機能の例は、ユーザが単一の周波数帯（またはキャリア）のみを用いる単一キャリア・アップリンク／ダウンリンク機能、より高い通信データ速度に達するようにユーザが複数の周波数帯（またはキャリア）を組み合わせるマルチキャリア・アップリンク／ダウンリンク機能、干渉除去、ある地理的セクタから別の地理的セクタに移動するユーザのためのコール・ハンドオーバ、ボイス・オーバー（ｖｏｉｃｅ  ｏｖｅｒ）・第３世代パートナーシップ・プロジェクト・ロング・ターム・エボリューション（３ＧＰＰ−ＬＴＥ）、データが送信される必要がない場合にいくつかの送信を止めるユーザ・パワー節約モード、多重入出力（ＭＩＭＯ）、単一入出力（ＳＩＳＯ）などである。
【００５４】
各通信機能は複数の異なるタスクを含んでもよく、特定の通信機能に関する異なるタスクは、１つまたは複数のＮｏｄｅＢ（例えば、同一のまたは異なるＮｏｄｅＢ）において、異なるＬ１処理ボードの間で分配され、異なるＬ１処理ボードによって実行されてもよい。例えば、マルチキャリア・アップリンク／ダウンリンク通信機能は、ユーザに関する複数のキャリアのそれぞれに関するタスクに分割されてもよい。この点で、ユーザに関するアップリンク／ダウンリンク通信機能は、キャリアごとに、すなわちキャリア・バイ・キャリア（ｃａｒｒｉｅｒ−ｂｙ−ｃａｒｒｉｅｒ）で、複数のＬ１処理ボードの間で分配されてもよい。この例では、異なるキャリアでのアップリンクおよびダウンリンク送信に関するＬ１処理は、ＮｏｄｅＢにおける異なるＬ１処理ボードの間で分配されてもよい。
【００５５】
別の例において、単一キャリア・アップリンク／ダウンリンク通信機能は、ＮｏｄｅＢの地理的カバレッジ・エリアにおける複数のセクタのそれぞれに関してタスクに分割されてもよい。この点で、異なるセクタに関する単一キャリア・アップリンク／ダウンリンク通信機能は、セクタごとに、すなわちセクタ・バイ・セクタ（ｓｅｃｔｏｒ−ｂｙ−ｓｅｃｔｏｒ）で、複数のＬ１処理ボードの間で分配されてもよい。この例では、異なるセクタでのアップリンクおよびダウンリンク送信に関するＬ１処理は、ＮｏｄｅＢにおける異なるＬ１処理ボードの間で分配されてもよい。
【００５６】
別の例において、ユーザに関する干渉除去通信機能は、フロントエンド処理タスクおよびバックエンド処理タスクに分割されてもよい。この例では、フロントエンド処理タスクは１つのＬ１処理ボードによって割り当てられて実行されてもよく、バックエンド処理タスクは別のＬ１処理ボードによって割り当てられて実行されてもよい。
【００５７】
ユーザに関するＬ１処理機能は複数のタスクに分割されてもよく、複数の異なるＬ１処理ボードの間で分配されてもよい。したがって、ユーザに関するＬ１処理機能は１つのＬ１処理ボードで部分的に実行され、別のＬ１処理ボードで部分的に実行されてもよい。
【００５８】
いくつかの実施形態例は、マルチキャリア・アップリンク／ダウンリンク通信機能について説明され、そこでは、キャリアに関する処理タスクがＮｏｄｅＢにおける異なるＬ１処理ボードの間で分配される。しかしながら、実施形態例は、同一の、または実質的に同一の方法で、異なる通信機能に適用されてもよいことを理解すべきである。
【００５９】
図１は、一実施形態例によるマルチボード・アーキテクチャ（ＭＢＡ）を有するＮｏｄｅＢを含む第５世代（５Ｇ）無線ネットワークの一部を例示する。５Ｇネットワークはネットワーク・セントラル・システムである。
【００６０】
図１を参照すると、ＮｏｄｅＢ２０は、地理的カバレッジ・エリア１００におけるマルチキャリア・ユーザ（マルチキャリア・ユーザＵＳＥＲ１によって表される）にサービスを行う。ＮｏｄｅＢ２０は中央局２１０と通信的に結合される。中央局２１０はさらにコア・ネットワークに結合される。
【００６１】
中央局２１０は複数のＮｏｄｅＢにわたる無線周波数（ＲＦ）アンテナへの／からの情報を処理する。中央局２１０は、とりわけ、Ｌ２スケジューリング動作を実行する１つまたは複数のＬ２スケジューラ、および、Ｌ３動作を実行する１つまたは複数のＬ３処理ボードを含む。より詳細には、１つまたは複数のＬ２スケジューラは、すべてのセルに関するＬ１処理ボードのそれぞれに対してスケジューリング機能を実行する。図１のネットワークにおける特定のマルチキャリア・ユーザ（例えばユーザＵＳＥＲ１）に関して、Ｌ２スケジューラはユーザが位置しているセクタ内の３つのキャリアに対してスケジュール機能を実行する。Ｌ３処理は、接続管理などの無線リソース制御（ＲＲＣ）、システム情報のブロードキャスト、セキュリティ・モード制御、測定プロシージャ、より高いレイヤーアクセスなどを含む。
【００６２】
中央局２１０のＬ２スケジューラおよびＬ３処理ボード／ブロック／回路は共に、例えば、各ユーザに関する、セル構成、リソース割り当て、およびチャネルの追加／削除を実行する。
【００６３】
中央局２１０のＬ２スケジューラはＮｏｄｅＢ２０、およびコモン・パブリック・ラジオ・インターフェース（ＣＰＲＩ）リンクを介して各Ｌ１処理ボードに、通信的に結合される。
【００６４】
さらに図１を参照すると、ＮｏｄｅＢ２０は複数のＬ１処理ボード２０２−１、２０２−２および２０２−３を含む。Ｌ１処理ボード２０２−１、２０２−２および２０２−３は動作的に互いに情報を交換するように互いに結合される。Ｌ１処理ボード２０２−１、２０２−２および２０２−３は、ＮｏｄｅＢ２０において互いに分離しているが、互いに接続される。この点で、Ｌ１処理ボード２０２−１、２０２−２および２０２−３は単一ボード・アーキテクチャ（ＳＢＡ）よりもむしろ、マルチボード・アーキテクチャ（ＭＢＡ）を有するように配置される。
【００６５】
一例では、Ｌ１処理ボード２０２−１、２０２−２および２０２−３はＬ１インターフェース・メッセージを介して互いに情報を交換する。以下により詳細に述べるように、Ｌ１インターフェース・メッセージは、アップリンクおよび／またはダウンリンク制御チャネル情報、ユーザ・データの組などを含んでもよい。
【００６６】
Ｌｉ処理ボードにおいて実行中の主要なＬ１機能（例えば変調および復調）に関する、および、中央局において実行中の主要なＬ２機能（例えばスケジューリング）に関する実施形態例が本明細書で述べられる。しかしながら、いくつかのＬ１／Ｌ２インターフェース部はＬ１処理ボードまたは中央局において実装されてもよい。したがって、Ｌ１処理ボードは主要でないＬ２機能を有してもよく、中央局のＬ２スケジューラは主要でないＬ１機能を有してもよい。例えば、複数のアンテナからのアップリンク・データの組み合わせは、主要でないＬ２機能とみなされてもよく、しかしながら、アンテナの組がＬ１処理ボードに位置する場合はＬ１処理ボードに実装されてもよい。別の例において、周期的冗長検査（ＣＲＣ：ｃｙｃｌｉｃ  ｒｅｄｕｎｄａｎｃｙ  ｃｈｅｃｋ）およびペイロード分離は主要でないＬ１機能とみなされてもよく、しかしながらＬ２スケジューラに実装されてもよい。
【００６７】
図１に示されたＬ１処理ボード２０２−１、２０２−２および２０２−３は、様々な方法で互いに結合されてもよい。図２および図３は、ＮｏｄｅＢ２０などのＮｏｄｅＢにおけるＮ個のＬ１処理ボードの間のボード間リンクの構成例を示す。図１に示された実施形態例ではＮ＝３である。しかしながら、実施形態例はこの例には限定されない。
【００６８】
より詳細には、図２はＮ個のＬ１処理ボード２０２−１、２０２−２、２０２−３、・・・、２０２−Ｎを接続する星型トポロジを示す。図２に示される例において、各Ｌ１処理ボードは、他のＬ１処理ボードと情報を交換する単一の直列化回路／非直列化回路（ＳＥＲＤＥＳ）Ｉ／Ｏポートを有する。
【００６９】
図３は、Ｎ個のＬ１処理ボード２０２−１、２０２−２、２０２−３、・・・、２０２−Ｎを互いに接続するリング型トポロジを示す。この例では、各Ｌ１処理ボードは、他のＬ１ボードと情報を交換する２つのＳＥＲＤＥＳ  Ｉ／Ｏポートを有する。
【００７０】
図２および図３に示された構成例において、相互接続構成のそれぞれは、シリアルＲａｐｉｄＩＯ（ｓＲＩＯ）工業規格リンクなどの高速ＳＥＲＤＥＳ物理的リンクを利用する。しかしながら、実施形態例はそれらの例に限定されるべきではない。
【００７１】
リング型および星型のトポロジのみが本明細書で述べられるが、Ｌ１処理ボードは任意の適切な相互接続トポロジを用いて相互接続されてもよい。
【００７２】
図１に戻ると、Ｌ１処理ボード２０２−１はＬ１処理回路２０２０−１を含み、Ｌ１処理ボード２０２−２はＬ１処理回路２０２０−２を含み、Ｌ１処理ボード２０２−３はＬ１処理回路２０２０−３を含む。
【００７３】
実施形態例によれば、Ｌ１処理回路はハードウェア、ファームウェア、ソフトウェアを実行するハードウェア、またはそれらの任意の組み合わせであってもよい。Ｌ１処理回路がハードウェアの場合、そのようなハードウェアは、１つまたは複数の中央演算装置（ＣＰＵ）、システム・オン・チップ（ＳＯＣ）デバイス、デジタル信号プロセッサ（ＤＳＰ）、特定用途向け集積回路（ＡＳＩＣ）、フィールド・プログラマブル・ゲート・アレイ（ＦＰＧＡ）コンピュータ、または、Ｌ１処理回路の機能（例えば、通信機能、通信機能の組、および／または、通信機能もしくは通信機能の組に関連づけられたタスク／機能の実装）を実行する特別な目的の機械として構成された同様のものを含んでもよい。ＣＰＵ、ＳＯＣ、ＤＳＰ、ＡＳＩＣおよびＦＰＧＡは、一般にプロセッサおよび／またはマイクロプロセッサとみなされてもよい。
【００７４】
本明細書で述べるように、Ｌ１処理回路は所与のＬ１処理ボードに対してローカルまたはリモートとして説明されてもよい。例えば、Ｌ１処理回路２０２０−１はＬ１処理ボード２０２−１に対するローカルなＬ１処理回路とみなされてもよいが、Ｌ１処理ボード２０２−２および２０２−３に対するリモートなＬ１処理回路とみなされてもよい。上記のように、Ｌ１処理ボード２０２−１、２０２−２および２０２−３は互いに接続される。この点で、各Ｌ１処理ボードおよび回路は他のＬ１処理ボードおよび回路のそれぞれに、動作的に接続される。
【００７５】
Ｌ１処理ボード２０２−１、２０２−２および２０２−３ならびにそれらの構成要素の動作例は、図４から図８に関して以下により詳細に述べられる。
【００７６】
上記のように、簡略化と説明の明確性のために、図４から図７に示される実施形態例は、３つのセクタ（Ｓ１、Ｓ２、Ｓ３）に分割された地理的カバレッジ・エリア１００内の３つのキャリア（Ｃ１、Ｃ２、Ｃ３）、およびキャリアごとに２つのアンテナに関して構成されたＮｏｄｅＢ２０に関して説明される。
【００７７】
この例では、地理的カバレッジ・エリア１００は、セクタおよびキャリアに基づく３つのグループに分割された９つの無線周波数（ＲＦ）セル（ＣＥＬＬ１〜ＣＥＬＬ９）を含む。ＲＦセルＣＥＬＬ１〜ＣＥＬＬ３はセクタＳ１に、ＲＦセルＣＥＬＬ４〜ＣＥＬＬ６はセクタＳ２に、ＲＦセルＣＥＬＬ７〜ＣＥＬＬ９はセクタＳ３にある。
【００７８】
ＲＦセルＣＥＬＬ１はセクタＳ１のキャリアＣ１に対応し、ＲＦセルＣＥＬＬ２はセクタＳ１のキャリアＣ２に対応し、ＲＦセルＣＥＬＬ３はセクタＳ１のキャリアＣ３に対応し、ＲＦセルＣＥＬＬ４はセクタＳ２のキャリアＣ１に対応し、ＲＦセルＣＥＬＬ５はセクタＳ２のキャリアＣ２に対応し、ＲＦセルＣＥＬＬ６はセクタＳ２のキャリアＣ３に対応し、ＲＦセルＣＥＬＬ７はセクタＳ３のキャリアＣ１に対応し、ＲＦセルＣＥＬＬ８はセクタＳ３のキャリアＣ２に対応し、ＲＦセルＣＥＬＬ９はセクタＳ３のキャリアＣ３に対応する。
【００７９】
さらに、実施形態例が３つのセクタ（Ｓ１、Ｓ２、Ｓ３）に関して説明されるにもかかわらず、セクタＳ１、Ｓ２およびＳ３のそれぞれはサブセットのセクタを意味してもよく、その際は各サブセットは１つまたは複数のセクタを含む。この例では、各サブセットのセクタは異なってもよく、より詳細には、１つのサブセットのセクタのそれぞれは第２のサブセットのセクタと異なってもよい。同様に、実施形態例が３つのキャリア（Ｃ１、Ｃ２、Ｃ３）に関して説明されるにもかかわらず、キャリアＣ１、Ｃ２およびＣ３のそれぞれはサブセットのキャリアを意味してもよく、各サブセットは１つまたは複数のキャリアを含む。この例では、各サブセットのキャリアは異なってもよく、より詳細には、１つのサブセットのキャリアのそれぞれは第２のサブセットのキャリアと異なってもよい。
【００８０】
上記のように、図１に示された例のＮｏｄｅＢ２０はキャリアごとに２つのＲＦアンテナを有する。上で述べられた例のように、キャリアＣ１に関する２つのＲＦアンテナがＬ１処理ボード２０２−１に接続される。キャリアＣ２に関する２つのＲＦアンテナがＬ１処理ボード２０２−２に接続される。キャリアＣ３に関する２つのＲＦアンテナがＬ１処理ボード２０２−３に接続される。結果として、ＮｏｄｅＢ２０によって提供された９つのセルＣＥＬＬ１〜ＣＥＬＬ９が３つのＬ１処理ボード２０２−１、２０２−２および２０２−３の間で分配される。この例において、セルはＬ１処理ボード２０２−１、２０２−２および２０２−３の間で均等に分配される。
【００８１】
少なくともいくつかの実施形態例によれば、Ｌ１処理ボードのそれぞれがユーザに関する異なる機能または機能の組と関連づけられてもよい。この例では、Ｌ１処理ボードのそれぞれが１つまたは複数の異なるユーザ機能と関連づけられた機能を実施する。例えば、Ｌ１処理ボード２０２−１は第１の機能（例えば、マルチキャリア・アップリンク／ダウンリンク）と関連づけられた機能を実行し、Ｌ１処理ボード２０２−２は第２の機能（例えば、単一キャリア・アップリンク／ダウンリンク）と関連づけられた機能を実行し、Ｌ１処理ボード２０２−３は第３の機能（例えば、干渉除去）と関連づけられた機能を実行してもよい、などである。
【００８２】
少なくともいくつかの他の実施形態例によれば、Ｌ１処理ボードのそれぞれがユーザ機能に関する異なるタスクまたはタスクの組と関連づけられてもよい。この例では、Ｌ１処理ボードのそれぞれが所与のユーザ機能に関するタスクと関連づけられた機能を実施する。この場合は、所与のユーザ機能に関するタスクはＮｏｄｅＢの複数のＬ１処理ボードの間で分散される。マルチキャリア・アップリンク／ダウンリンク機能に関して、例えば、Ｌ１処理ボード２０２−１はキャリアＣ１と関連づけられた機能を実行し、Ｌ１処理ボード２０２−２はキャリアＣ２と関連づけられた機能を実行し、Ｌ１処理ボード２０２−３はキャリアＣ３と関連づけられた機能を実行してもよい、などである。
【００８３】
さらに別の例では、ユーザに関するＬ１処理は複数のＬ１処理ボードの間で分配されてもよい。一例では、Ｌ１処理ボードのそれぞれがキャリアＣ１、Ｃ２、およびＣ３の中のあるキャリア（例えば、単一のキャリアまたはサブセットのキャリア）に関するすべてのＬ１機能を処理する。より詳細には、例えば、Ｌ１処理ボード２０２−１はキャリアＣ１に関するＬ１処理を実行し、Ｌ１処理ボード２０２−２はキャリアＣ２に関するＬ１処理を実行し、Ｌ１処理ボード２０２−３はキャリアＣ３に関するＬ１処理を実行する。
【００８４】
少なくともいくつかの実施形態例によれば、アップリンク（ＵＬ）およびダウンリンク（ＤＬ）アンテナ・ストリームのすべてのＬ１処理はローカルなボードで実行されるため、すべてのＬ１処理はローカルとみなされる。
【００８５】
例示の目的で、図５から図７に示された実施形態例が、図１のカバレッジ・エリア１００のセクタ１において示されるユーザＵＳＥＲ１に関するマルチキャリア・アップリンク／ダウンリンク機能に関するタスクの分配に関して説明される。キャリアＣ１はアンカー・キャリアとして説明され、Ｌ１処理ボード２０２−１はアンカーＬ１処理ボードとして説明され、Ｌ１処理回路２０２０−１はアンカーＬ１処理回路として説明され、それに対して、キャリアＣ２およびＣ３は二次キャリアとして説明され、Ｌ１処理ボード２０２−２および２０２−３は二次Ｌ１処理ボードとして説明され、Ｌ１処理回路２０２０−２および２０２０−３は二次Ｌ１処理回路として説明される。同様に、セルＣＥＬＬ１はアンカー・セルとして説明されてもよく、それに対して、セルＣＥＬＬ２およびＣＥＬＬ３は二次セルとして説明されてもよい。しかしながら、セルＣＥＬＬ１からＣＥＬＬ３のいずれも、あるユーザに関してアンカー・セルでありかつ他のユーザに関して二次セルであるようにサービスを行ってもよく、キャリアＣ１からＣ３のいずれも、あるユーザに関してアンカー・キャリアでありかつ他のユーザに関して二次キャリアであってもよく、Ｌ１処理ボードのそれぞれも、あるユーザに対してアンカーＬ１処理ボードでありかつ他のユーザに対して二次Ｌ１処理ボードであるようにサービスを行ってもよいことは理解されるべきである。同様に、Ｌ１処理回路のそれぞれも、アンカーＬ１処理回路と二次Ｌ１処理回路の両方としてサービスを行ってもよい。
【００８６】
さらに、例示の目的で、実施形態例が図１の単一のマルチキャリア・ユーザＵＳＥＲ１に関するアップリンク送信に対して説明される。しかしながら、同様の処理が無線通信ネットワーク内の任意の数のユーザに関して実行されてもよいことは理解されるべきである。
【００８７】
図５は、アンカーＬ１処理ボード２０２−１においてアップリンク通信を処理する方法の実施形態例を示す流れ図である。図６は、二次Ｌ１処理ボード（例えば、２０２−２および／または２０２−３）においてアップリンク通信を処理する方法の実施形態例を示す流れ図である。
【００８８】
図５および図６に示された実施形態例は共に、マルチキャリア・ユーザに関するマルチキャリア・アップリンク通信機能に関連づけられたマルチキャリア・アップリンク・タスクに関連づけられた機能の例を示す。すなわち、例えば、図５および図６に示された方法は、ある実施形態例によるＭＢＡにおけるマルチキャリア・ユーザにマルチキャリア・アップリンク通信機能を提供することと関連づけられた機能を示す。
【００８９】
例示の目的で、図５および図６に示された方法は、図１に示された通信ネットワークの一部に関して説明される。
【００９０】
図１から図５を参照すると、ステップＳ５０２においてアンカーＬ１処理回路２０２０−１は、１つまたは複数のＲＦアンテナ・ストリームを介して、アンカー・キャリアＣ１でユーザＵＳＥＲ１によって送信されたアップリンク物理チャネルを受信する。この例では、アップリンク物理チャネルはアップリンク制御チャネルおよびアップリンク・データ・チャネルを含む。
【００９１】
ステップＳ５０４において、アンカーＬ１処理回路２０２０−１は、アップリンク制御チャネル情報を得るように、受信されたアップリンク制御チャネルのＬ１処理機能を実行する。より詳細には、ステップＳ５０４において、アンカーＬ１処理回路２０２０−１は、アップリンク制御チャネル情報を得るように、アップリンク制御チャネルを復調および復号する。一例では、アップリンク制御チャネル情報は、タイミング／同期情報、チャネル品質表示情報（例えば、ＣＱＩ情報）、受信品質情報（例えば、ユーザＵＳＥＲ１がＮｏｄｅＢ２０による最後の送信を成功して受信したかどうかを示すＡｃｋ／Ｎａｃｋ）、電源制御ループ情報などを含んでもよい。
【００９２】
ユーザＵＳＥＲ１に関するマルチキャリア・アップリンク通信機能において、アンカー・セルＣＥＬＬ１のみがアップリンク制御チャネルを有し、すべての二次セルＣＥＬＬ２およびＣＥＬＬ３はアンカー・セル・アップリンク制御チャネルを共有する。したがって、この例では、アンカーＬ１処理回路２０２０−１のみが、アップリンク物理チャネルのアップリンク制御チャネル部分を受信する。
【００９３】
さらに図５を参照すると、ステップＳ５０６において、アンカーＬ１処理回路２０２０−１は二次Ｌ１処理回路２０２０−２および２０２０−３にアップリンク制御チャネル情報を出力する。より詳細には、ステップＳ５０６において、アンカーＬ１処理回路２０２０−１はアップリンク制御チャネル情報を含む制御チャネル情報パケットを生成し、Ｌ１処理ボード２０２−１は、二次Ｌ１処理ボード２０２−２および２０２−３に制御チャネル情報パケットを出力する。
【００９４】
一例では、アップリンク制御チャネル情報は、アンカー・セルＣＥＬＬ１および二次セルＣＥＬＬ２およびＣＥＬＬ３に関する電源制御ループ情報と同様に、タイミング情報を含む。電源制御ループはＬ１処理回路に実装されたＬ１機能であるため、アンカーＬ１処理ボード２０２−１は電源制御ループ情報を二次Ｌ１処理ボード２０２−２および２０２−３に提供する。また、Ｌ１処理ボードの間で処理を同期化するように、Ｌ１処理ボード２０２−１はタイミング情報を二次処理ボード２０２−２および２０２−３に提供する。アンカーＬ１処理ボード２０２−１は、Ｌ１インターフェース・メッセージを用いて上で述べられたボード間通信リンクを介して、アップリンク制御チャネル情報を二次Ｌ１処理ボード２０２−２および２０２−３に提供する。
【００９５】
さらに図１および図５を参照すると、ステップＳ５０８において、アンカーＬ１処理回路２０２０−１は受信されたアップリンク・データ・チャネルでＬ１処理機能を実行する。より詳細には、ステップＳ５０８において、アップリンク制御チャネル情報を用いて、アンカーＬ１処理回路２０２０−１は、ユーザＵＳＥＲ１によって送信されたデータ符号を復元するように、１つまたは複数のＲＦアンテナ・ストリームを介して受信されたアップリンク・データ・チャネルを復調する。Ｌ１処理回路２０２０−１は、ユーザＵＳＥＲ１によって送信されたＬ１データビット・シーケンス（搬送ブロック、ペイロード・データ、またはデータ・パケットともみなされる）を復元するように、ダイバーシティ・アンテナ符号を組み合わせ、組み合わせられたデータ符号を復号する。
【００９６】
ステップＳ５１０において、アンカーＬ１処理回路２０２０−１はアップリンク制御チャネル情報と、復元されたデータビット・シーケンス（搬送ブロックまたはペイロード・データ）とを、上で述べたＣＰＲＩリンクを介して中央局２１０のＬ２スケジューラ（図示しない）に出力する。中央局２１０のＬ２スケジューラの機能は以下により詳細に説明される。
【００９７】
次に図６を参照すると、ステップＳ６０２において、二次Ｌ１処理回路２０２０−２はアンカーＬ１処理ボード２０２−１から、アップリンク制御チャネル情報を含む制御チャネル情報パケットを受信する。上で述べたように、アップリンク制御チャネル情報は、例えば、アップリンク電源制御ループ情報およびタイミング情報を含む。二次Ｌ１処理回路２０２０−２は、キャリアＣ２で受信されたアップリンク送信の処理を、キャリアＣ１およびＣ３で受信されたアップリンク送信の処理と同期化するように、タイミング情報を用いる。この点で、二次Ｌ１処理回路２０２０−２は、セルＣＥＬＬ２におけるキャリアＣ２で受信されたアップリンク送信の処理を、セルＣＥＬＬ１におけるアンカー・キャリアＣ１で受信されたアップリンク送信の処理と同期化するように、タイミング情報を用いてもよい。二次キャリアで受信されたアップリンク送信の処理を、アンカー・キャリアのアップリンク送信の処理と同期化することによって、すべてのキャリアでのアップリンク送信の処理が同期化されてもよい。
【００９８】
アンカーＬ１処理回路によって提供されたアップリンク電力制御ループ情報は、以下の通り利用される。
【００９９】
複数のセルにおける複数のキャリアでのダウンリンク送信に関して、ユーザはダウンリンク・チャネル品質情報（ＣＱＩ）を測定し、異なるセルにおいて受信されたデータに関して周期的冗長検査（ＣＲＣ、Ａｃｋ／Ｎａｃｋ）を実行する。ユーザはアンカー・セルと二次セルに関するＣＱＩとＡｃｋ／Ｎａｃｋ情報とを組み合わせ、アンカー・セルにおけるアップリンク制御チャネルを介して、組み合わせられた情報をＮｏｄｅＢに送信する。アンカーＬ１処理回路はＣＱＩおよびＡｃｋ／Ｎａｃｋ情報を復号し、情報をアンカー・セルの組と二次セルの組に分割する。アンカーＬ１処理回路は、アンカー・セルに関するユーザが報告したチャネル品質情報（ＣＱＩ）に基づいて、ダウンリンク送信電力を調整する（例えば、増加させるか減少させる）。アンカーＬ１処理回路は、そして、ユーザが報告した二次セルＣＱＩ情報に基づいて、二次セルにおけるダウンリンク送信電力を調整する（例えば、増加させるか減少させる）ように、二次ＣＱＩを二次Ｌ１処理回路に関する二次Ｌ１処理ボードに送信する。
【０１００】
図６に戻ると、ステップＳ６０４において、二次Ｌ１処理回路２０２０−２は、二次セルＣＥＬＬ２における二次キャリアＣ２でユーザＵＳＥＲ１によって送信されたアップリンク・データ・チャネルでＬ１処理機能を実行する。より詳細には、ステップＳ６０４において、アンカーＬ１処理ボード２０２−１からのアップリンク制御チャネル情報を用いて、二次Ｌ１処理回路２０２０−２は、ユーザＵＳＥＲ１によって送信されたデータ符号を復元するように、二次セルＣＥＬＬ２における二次キャリアＣ２で送信されたアップリンク・データ・チャネルを復調する。二次Ｌ１処理回路２０２０−２は、二次キャリアＣ２のユーザＵＳＥＲ１によって送信されたＬ１データビット・シーケンス（搬送ブロックまたはペイロード・データ）を復元するように、ダイバーシティ・アンテナ符号を組み合わせ、組み合わせられた符号を復号する。
【０１０１】
ステップＳ６０６において、二次Ｌ１処理回路２０２０−２は、復元された送信されたデータビット・シーケンスを、中央局２１０のＬ２スケジューラに出力する。二次Ｌ１処理回路２０２０−２は、制御チャネル情報パケットを出力してもよい。二次セルＣＥＬＬ２における制御チャネル情報パケットは制御チャネル情報、例えば、搬送ブロック（復元されたデータビット）がどのように定義されて符号化されるかを示す符号化情報などを含んでもよい。
【０１０２】
知られているように、所与のセルにおいて複数の制御チャネルがある。そして、異なる制御チャネルが異なる情報の組を提供する。一例において、二次Ｌ１処理ボードが、アップリンク・データ・チャネルと、データ・チャネル符号化情報を提供する対応するアップリンク制御チャネルとを復号する。少なくともいくつかの実施形態例によれば、各Ｌ１処理ボードは、復号されたデータ・パケット（搬送ブロック）および対応する制御メッセージ（搬送ブロックがどのように定義されて符号化されるか）を、さらなる処理のために中央局のＬ２スケジューラに送る。
【０１０３】
中央局２１０のＬ２スケジューラは、Ｌ１処理ボード２０２−１、２０２−２および２０２−３から、アップリンク制御チャネル情報パケットおよび送信されたデータビット・シーケンスを受信する。より詳細には、Ｌ２スケジューラは、アンカーＬ１処理ボード２０２−１からのセルＣＥＬＬ１におけるアンカー・キャリアＣ１で、ユーザＵＳＥＲ１によって送信された、アップリンク制御チャネル情報パケットおよび復元されたデータビット・シーケンスを受信し、二次Ｌ１処理ボード２０２−２からのセルＣＥＬＬ２における二次キャリアＣ２でユーザＵＳＥＲ１によって送信された、アップリンク制御チャネル情報パケットおよび復元されたデータビット・シーケンスを受信し、二次Ｌ１処理ボード２０２−３からのセルＣＥＬＬ３における二次キャリアＣ３でユーザＵＳＥＲ１によって送信された、アップリンク制御チャネル情報パケットおよび復元されたデータビット・シーケンスを受信する。中央局２１０のより高いレイヤー（例えばＬ３）情報処理のために、そしてコア・ネットワークを介したさらなる送信のために、アップリンク制御チャネル情報を用いて、Ｌ２スケジューラはＬ１処理ボード２０２−１、２０２−２および２０２−３からの復元されたデータビット・シーケンスを組み合わせる。
【０１０４】
一実施形態例によるＭＢＡを有するＮｏｄｅＢにおいて実装される、マルチキャリア・アップリンク／ダウンリンク通信機能のダウンリンク部分を、次に詳細に説明する。
【０１０５】
ダウンリンクにおいて、Ｌ２スケジューラはダウンリンク・ユーザ・データを複数のデータの組に分割または分離する。複数のデータの組の各々は、セルＣＥＬＬ１におけるキャリアＣ１、セルＣＥＬＬ２におけるキャリアＣ２、セルＣＥＬＬ３におけるキャリアＣ３のうち１つでユーザＵＳＥＲ１に送信されるデータを含む。そして、マルチキャリア・ダウンリンク通信機能に関するタスクがＮｏｄｅＢ２０のＬ１処理ボードの間で分配されるように、Ｌ２スケジューラはキャリアごとにＬ１処理ボード２０２−１、２０２−２および２０２−３の間でデータの組を分配する。
【０１０６】
例えば、Ｌ２スケジューラはセルＣＥＬＬ１におけるキャリアＣ１でユーザＵＳＥＲ１への送信のためにＬ１処理ボード２０２−１に第１の複数のデータの組を送り、Ｌ２スケジューラはセルＣＥＬＬ２におけるキャリアＣ２でユーザＵＳＥＲ１への送信のためにＬ１処理ボード２０２−２に第２の複数のデータの組を送り、Ｌ２スケジューラはセルＣＥＬＬ３におけるキャリアＣ３でユーザＵＳＥＲ１への送信のためにＬ１処理ボード２０２−３に第３の複数のデータの組を送る。
【０１０７】
Ｌ２スケジューラはまた、ダウンリンク制御チャネル情報を複数のダウンリンク制御チャネル情報パケットに分割する。複数のダウンリンク制御チャネル情報パケットの各々は、セルＣＥＬＬ１、ＣＥＬＬ２およびＣＥＬＬ３における、キャリアＣ１、Ｃ２およびＣ３のうち１つで、ユーザＵＳＥＲ１に送信されるデータに関するダウンリンク制御チャネル情報を含む。一例では、ダウンリンク制御チャネル情報パケットは、セル配置情報、タイミング情報、キャリアに関するダウンリンク・チャネル配置情報、電力設定情報などを含んでもよい。アンカー・セルＣＥＬＬ１に関するダウンリンク制御チャネル情報パケットはＬ１処理ボード２０２−１に送られ、二次セルＣＥＬＬ２に関するダウンリンク制御チャネル情報パケットはＬ１処理ボード２０２−２に送られ、二次セルＣＥＬＬ３に関するダウンリンク制御チャネル情報パケットはＬ１処理ボード２０２−３に送られる。
【０１０８】
図７はＮｏｄｅＢ２０におけるダウンリンク通信を処理する方法の実施形態例を示す流れ図である。図７に示される実施形態例は、マルチキャリア・ユーザに関するマルチキャリア・ダウンリンク通信機能と関連づけられた、マルチキャリア・ダウンリンク・タスクと関連づけられた機能の例を示す。すなわち、例えば、図７で示される方法は、一実施形態例による、ＭＢＡにおけるマルチキャリア・ユーザに関するマルチキャリア・ダウンリンク通信機能を提供することと関連づけられた機能を例示する。
【０１０９】
図７を参照すると、ステップＳ７０２において、各Ｌ１処理ボードは中央局２１０から、１つまたは複数のダウンリンク制御チャネル情報パケットと、セルＣＥＬＬ１、ＣＥＬＬ２およびＣＥＬＬ３における、キャリアＣ１、Ｃ２およびＣ３のうち対応する１つで、ユーザＵＳＥＲ１に送信するためのダウンリンク・データの組とを受信する。
【０１１０】
より詳細な例では、ステップＳ７０２において、Ｌ１処理ボード２０２−１はセルＣＥＬＬ１におけるキャリアＣ１でユーザＵＳＥＲ１に送信される１つまたは複数のダウンリンク制御チャネル情報パケットおよび第１のダウンリンク・データの組を受信し、Ｌ１処理ボード２０２−２はセルＣＥＬＬ２におけるキャリアＣ２でユーザＵＳＥＲ１に送信されるダウンリンク制御チャネル情報パケットおよび第２のダウンリンク・データの組を受信し、Ｌ１処理ボード２０２−３はセルＣＥＬＬ３におけるキャリアＣ３でユーザＵＳＥＲ１に送信されるダウンリンク制御チャネル情報パケットおよび第３のダウンリンク・データの組を受信する。
【０１１１】
少なくとも１つの実施形態例において、各キャリアからのダウンリンク制御チャネル情報およびデータの組の中から、Ｌ１処理ボード２０２−１（ならびにＬ１処理回路２０２０−１）はセルＣＥＬＬ１におけるキャリアＣ１でユーザＵＳＥＲ１に送信されるダウンリンク制御チャネル情報および第１のダウンリンク・データの組のみを受信し、Ｌ１処理ボード２０２−２（ならびにＬ１処理回路２０２０−２）はセルＣＥＬＬ２におけるキャリアＣ２でユーザＵＳＥＲ１に送信されるダウンリンク制御チャネル情報および第２のダウンリンク・データの組のみを受信し、Ｌ１処理ボード２０２−３（ならびにＬ１処理回路２０２０−３）はセルＣＥＬＬ３におけるキャリアＣ３でユーザＵＳＥＲ１に送信されるダウンリンク制御チャネル情報および第３のダウンリンク・データの組のみを受信する。
【０１１２】
図７に戻ると、ステップＳ７０４において、各Ｌ１処理回路は、それぞれ受信されたデータの組のダウンリンク・データビット・シーケンスを、ダウンリンク制御チャネル情報を用いて、それぞれ、セルＣＥＬＬ１、ＣＥＬＬ２およびＣＥＬＬ３における、キャリアＣ１、Ｃ２およびＣ３のうち対応する１つで、ユーザＵＳＥＲ１に送信するために、無線周波数（ＲＦ）信号ストリームに符号化する。
【０１１３】
より詳細には、Ｌ１処理ボード２０２−１は受信された第１のデータの組のダウンリンク・データビット・シーケンスを、セルＣＥＬＬ１におけるキャリアＣ１でユーザＵＳＥＲ１に送信するために、無線周波数（ＲＦ）信号ストリームに符号化し、Ｌ１処理ボード２０２−２は受信された第２のデータの組のダウンリンク・データビット・シーケンスを、セルＣＥＬＬ２におけるキャリアＣ２でユーザＵＳＥＲ１に送信するために、無線周波数（ＲＦ）信号ストリームに符号化し、Ｌ１処理ボード２０２−３は受信された第３のデータの組のダウンリンク・データビット・シーケンスを、セルＣＥＬＬ３におけるキャリアＣ３でユーザＵＳＥＲ１に送信するために、無線周波数（ＲＦ）信号ストリームに符号化する。
【０１１４】
ステップＳ７０６において、Ｌ１処理ボード２０２−１、２０２−２および２０２−３のそれぞれは、所与のセルにおける所与のキャリアでユーザＵＳＥＲ１に送信するために、生成されたＲＦ信号ストリームを、対応する１つまたは複数のＲＦアンテナに出力する。
【０１１５】
そして、ＲＦ信号ストリームは、対応するＲＦアンテナを介してユーザＵＳＥＲ１に送信される。
【０１１６】
少なくともいくつかの実施形態例によれば、Ｌ１処理ボードは、Ｌ１処理ボードごとに３つのセクタにおいて１つのキャリアに区切られる。任意の単一のマルチキャリア（例えば３キャリア）ユーザに関して、３つのキャリアはＮｏｄｅＢの３つのＬ１処理ボードにわたって分配される。中央局のＬ２スケジューラは、３つのＬ１ボードにわたるキャリア集合に基づくスケジューリング機能を実行する。３つのキャリアがシステムとしてグループ化されるため、３つのＬ１処理ボードは互いに情報を交換する。これは、各ボードがすべての情報によってすべての機能を実装するためボード間通信が用いられない、従来のＳＢＡアーキテクチャとは異なる。
【０１１７】
１つまたは複数の実施形態例によるマルチボード・アーキテクチャは、従来の単一ボード・アーキテクチャにおいてみられる重複した機能を減らすことにより、ＮｏｄｅＢにおける不要なリソースの消費を減らすことができる。一例では、Ｌ１処理ボードは、従来の単一ボード・アーキテクチャと比較して、アンテナ・ストリームの一部または部分のみを処理する。
【０１１８】
実施形態例はまた、既存のボードのライフサイクルを延長し、既存のボードに追加の特徴を追加する可能性を提供してもよい。
【０１１９】
ボード・リソースの使用を改善するように、望ましい負荷釣り合わせが、複数のＬ１処理ボードにわたるタスク分割および分配の動的な管理によって達成されてもよい。いくつかの実施形態例は、Ｌ１処理ボードの間の通信機能処理の負荷釣り合わせの方法を提供する。いくつかの実施形態例はまた、システムとしてＬ１処理ボードが機能するように構成されたマルチボード・アーキテクチャを有するＮｏｄｅＢを提供し、それによってＮｏｄｅＢにおける通信機能処理の動的な負荷釣り合わせを可能にする。
【０１２０】
負荷釣り合わせの方法の一実施形態例が、干渉除去機能に関して本明細書に説明される。しかしながら、実施形態例は他のユーザ機能に適用されてもよいことは理解すべきである。
【０１２１】
一般に、マルチボード負荷釣り合わせは１つまたは複数のＮｏｄｅＢ（例えば単一のＮｏｄｅＢ）で複数のボードにわたるリソースの使用を改善してもよい。Ｌ１ボード・リソースは、例えば、ハードウェア処理電力、有効なメモリサイズ、および各ユーザに対する時間割り当てを含む。１つのボードが過負荷であり別のボードが過負荷でない場合、ボード間の負荷を釣り合わせるように、いくつかの処理タスクが過負荷のボードから過負荷でないボードに転送されてもよい。少なくともいくつかの実施形態例によるＭＢＡにおいて、負荷釣り合わせは、中央局からＮｏｄｅＢに送られる制御パケットを介して、中央局のＬ２／Ｌ３ボードによって動的に制御されてもよい。
【０１２２】
図４は、図１に示されたＮｏｄｅＢ２０における干渉除去機能のための負荷釣り合わせの方法の実施形態例を示すブロック図である。例示の目的で、図４は、３つのキャリアで、キャリアごとに３つのセクタで、３つのＬ１処理ボードの間の、ユーザに関する負荷釣り合わせを含む３ＧＰＰ  ＬＴＥキャリア集合の例を示す。
【０１２３】
ＬＴＥ通信ネットワークにおいて、高速フーリエ変換（ＦＦＴ）は複数のユーザのフロント・エンド処理の部分である。一例において、１つのＦＦＴポイントは１５ｋＨｚの周波数帯域を表す。１０２４のＦＦＴは、複数のユーザによって共有される１０２４＊１５ｋＨｚまたは１５．３６０ＭＨｚの周波数帯域を表す。
【０１２４】
この例において、以下を前提とする。
ｉ．Ｌ１処理ボード２０２−１におけるＦＦＴは４０のユーザを含み、うち２ユーザは干渉除去（ＩＣ）ユーザであり、残りの３８ユーザは非ＩＣユーザである。
ｉｉ．Ｌ１処理ボード２０２−２におけるＦＦＴは５０のユーザを含み、うち１０ユーザは干渉除去（ＩＣ）ユーザであり、残りの４０ユーザは非ＩＣユーザである。
ｉｉｉ．Ｌ１処理ボード２０２−３におけるＦＦＴは４５のユーザを含み、うち５ユーザは干渉除去（ＩＣ）ユーザであり、残りの４０ユーザは非ＩＣユーザである。
ｉｖ．ＩＣユーザは非ＩＣユーザよりも多くのリソースを消費する。
ｖ．Ｌ１処理ボードのそれぞれは、６のＩＣユーザおよび５０の非ＩＣユーザを処理する能力を有する。
【０１２５】
この例は、６のＩＣユーザおよび５０の非ＩＣユーザを処理する能力を有する各Ｌ１処理ボードに関して述べられるが、実施形態例はこの例に限定されるべきではない。それどころか、この特定の能力はこの例のためにのみ提供される。
【０１２６】
従来のＳＢＡを用いると、ＦＦＴを実行した後にすべてのユーザがローカルのＬ１処理ボードで処理される。この例において、ローカルなＬ１処理ボード２０２−２は１０のＩＣユーザを有し、Ｌ１処理ボードの最大能力（６のＩＣユーザ）を超過する。
【０１２７】
実施形態例によるＭＢＡを利用することにより、Ｌ１処理ボードはボードにおける通信機能の能力過負荷を識別し、能力過負荷を識別した後、あるＬ１処理ボードから別のＬ１処理ボードに、少なくとも１のユーザに通信機能を提供することと関連づけられた機能を転送することができる。
【０１２８】
より具体的な例では、実施形態例によるＭＢＡを利用することにより、ＩＣ負荷がＮｏｄｅＢ２０におけるＬ１処理ボード２０２−１、２０２−２および２０２−３の間で分配されて釣り合わせられるように、ＩＣユーザは、ユーザにこの通信機能を提供することと関連づけられた機能と同様に、あるＬ１処理ボードから別の処理ボードへ転送されてもよい。
【０１２９】
１のＩＣユーザに関して、ローカルなＬ１処理ボードは、ＦＦＴ処理に関して複数のユーザによって混合されるアンテナ・ストリームを受信する。ＦＦＴ出力は複数のデータの組に分割され、各データの組は複数のユーザのうちの対応する１つをマッピングする。ユーザ・データの組はさらに、タイミングおよび周波数オフセット補償処理回路によって処理される。オフセット補償の後に、ユーザ・データの組はＩＣ処理回路に送られる。したがって、オフセット補償の後に、ユーザ・データの組はＩＣ処理回路への入力であり、Ｌ１インターフェース・メッセージを介してリモートなＬ１処理ボードに転送される情報としてサービスを行う。
【０１３０】
図４に戻って参照すると、より詳細には、３つのＬ１処理ボード２０２−１、２０２−２および２０２−３は１のシステム（ＭＢＡ）として機能し、Ｌ１処理ボード２０２−１は２のＩＣユーザのみを有するため、Ｌ１処理ボード２０２−２はさらなる処理のために４のＩＣユーザ（ＦＦＴ後）をＬ１処理ボード２０２−１に転送する。これはユーザに関するＭＢＡ負荷釣り合わせとみなされてもよい。
【０１３１】
図４に示された例において、負荷釣り合わせの後、Ｌ１処理ボード２０２−１は６のＩＣユーザを有し、Ｌ１処理ボード２０２−２は６のＩＣユーザを有し、Ｌ１処理ボード２０２−３は５のＩＣユーザを有する。したがって、Ｌ１処理ボード２０２−１、２０２−２および２０２−３のそれぞれは６のＩＣユーザという処理能力以下である。Ｌ１処理ボードは、Ｌ１インターフェース交換メッセージを用いて、ユーザと、ユーザにこの通信機能を提供することに関連づけられた機能とを転送してもよい。
【０１３２】
図８は、ＮｏｄｅＢにおけるボードの間の通信機能の負荷釣り合わせの方法の一実施形態例を示すブロック図である。例示の目的で、単一キャリアＣ１で、３つのセクタＳ１、Ｓ２，Ｓ３を有し、３つのＬ１処理ボードの間の、ユーザに関する負荷釣り合わせを含むＬＴＥキャリア集合の例が説明される。
【０１３３】
図４に示された実施形態例と同様に、図８に示された例において、以下を前提とする。
ｉ．Ｌ１処理ボード２０２−１におけるＦＦＴは４０のユーザを含み、うち２ユーザは干渉除去（ＩＣ）ユーザであり、残りの３８ユーザは非ＩＣユーザである。
ｉｉ．Ｌ１処理ボード２０２−２におけるＦＦＴは５０のユーザを含み、うち１０ユーザは干渉除去（ＩＣ）ユーザであり、残りの４０ユーザは非ＩＣユーザである。
ｉｉｉ．Ｌ１処理ボード２０２−３におけるＦＦＴは４５のユーザを含み、うち５ユーザは干渉除去（ＩＣ）ユーザであり、残りの４０ユーザは非ＩＣユーザである。
ｉｖ．ＩＣユーザは非ＩＣユーザよりも多くのリソースを消費する。
ｖ．Ｌ１処理ボードのそれぞれは、６のＩＣユーザおよび５０の非ＩＣユーザを処理する能力を有する。
【０１３４】
図４と同様に、図８に示された例は、６のＩＣユーザおよび５０の非ＩＣユーザを処理する能力を有する各Ｌ１処理ボードに関して述べられるが、実施形態例はこの例に限定されるべきではない。それどころか、この特定の能力はこの例のためにのみ提供される。
【０１３５】
実施形態例によるＭＢＡを利用することにより、ＩＣ負荷がＮｏｄｅＢ２０におけるＬ１処理ボード２０２−１、２０２−２および２０２−３の間で分配されて釣り合わせられるように、ＩＣユーザは、ユーザにこの通信機能を提供することと関連づけられた機能と同様に、あるＬ１処理ボードから別の処理ボードへ転送されてもよい。
【０１３６】
図８に示された例に関して、より詳細には、３つのＬ１処理ボード２０２−１、２０２−２および２０２−３は１のシステム（ＭＢＡ）として機能し、Ｌ１処理ボード２０２−１は２のＩＣユーザのみを有するため、Ｌ１処理ボード２０２−２はさらなる処理のために４のＩＣユーザ（ＦＦＴ後）と、ユーザにこの通信機能を提供することと関連づけられた機能とをＬ１処理ボード２０２−１に転送する。これはユーザに関するＭＢＡ負荷釣り合わせとみなされてもよい。
【０１３７】
図８に示された例において、負荷釣り合わせの後に、Ｌ１処理ボード２０２−１は６のＩＣユーザを有し、Ｌ１処理ボード２０２−２は６のＩＣユーザを有し、Ｌ１処理ボード２０２−３は５のＩＣユーザを有する。したがって、Ｌ１処理ボード２０２−１、２０２−２および２０２−３のそれぞれは６のＩＣユーザという処理能力以下である。Ｌ１処理ボードは、Ｌ１インターフェース交換メッセージを用いて、ユーザを転送してもよい。
【０１３８】
先述の実施形態例の説明は、例示および説明の目的のみのために提供された。それは包括的なものや、開示を限定することを意図したものではない。特定の実施形態例の個々の要素または機能は、一般にその特定の実施形態に限定されるものではなく、適用可能であれば、置き換え可能であり、具体的に示されるか説明されなくとも、選択された実施形態で使用されることができる。同じものが多くの形に変化することもある。そのような変化は開示から離れたものとみなされるべきではなく、すべてのそのような変形例は開示の範囲内に含まれるものと意図される。
【図１】
0006453996.tif 000002
【図２】
0006453996.tif 000003
【図３】
0006453996.tif 000004
【図４】
0006453996.tif 000005
【図５】
0006453996.tif 000006
【図６】
0006453996.tif 000007
【図７】
0006453996.tif 000008
【図８】
0006453996.tif 000009